(57)【特許請求の範囲】
【請求項１】
天井に設置された天井ランナーと、床に設置された床ランナーと、該天井ランナーと該床ランナーとの間に立設された厚肉のC型鋼である複数のライトゲージと、前記天井ランナーを介して前記複数のライトゲージを天井に固定する複数の固定金具と、前記床ランナーを介して前記複数のライトゲージを床に固定する複数の固定金具と、前記複数のライトゲージを水平方向に貫通する複数の振れ止めと、該複数の振れ止めを前記ライトゲージに接合する複数の接合金具と、前記ライトゲージの側面に貼設された壁材とを備え、
前記接合金具が、ウェブ部と、該ウェブ部の左右それぞれから延出して該ウェブ部とともに断面略コの字状を形成する押え片と、該ウェブ部と略垂直をなすフランジ部とからなり、該フランジ部は左右にそれぞれに、少なくとも二股に分岐している挟着片を有しており、左右の挟着片それぞれについて、前記少なくとも二股に分かれた挟着片の少なくとも一つの分岐片が前記ライトゲージのリップ部の外側面に当接し、他の分岐片が前記リップ部の内側面に当接して、前記ライトゲージに挟着されるものであって、該接合金具のウェブ部が振れ止めのウェブ部上面に当接し、左右の押え片がそれぞれ振れ止めの左右のフランジ部外側面に当接して、振れ止めを押さえるものである、振れ止め押え金具であり、
前記ライトゲージには、複数の振れ止めを、それぞれ挿入させることができ、かつ振れ止めを嵌合する嵌合溝を有している貫通孔が複数、高さ方向に所定の間隔で設けられていることを特徴とする、鋼製下地による耐震間仕切り構造。
【請求項２】
前記複数のライトゲージの間隔が、（一尺−３０ｍｍ）以上（九尺＋３０ｍｍ）以下であることを特徴とする、請求項１記載の鋼製下地による耐震間仕切り構造。
【請求項３】
３本以上の前記ライトゲージを備え、かつ前記ライトゲージ２本が背合わせ状態である一対のライトゲージを少なくとも１つ備えていることを特徴とする、請求項１記載の鋼製下地による耐震間仕切り構造。
【請求項４】
４本以上の前記ライトゲージを備え、かつ前記一対のライトゲージを複数備えており、該複数の一対のライトゲージの間隔が、（一尺−３０ｍｍ）以上（九尺＋３０ｍｍ）以下であることを特徴とする、請求項３記載の鋼製下地による耐震間仕切り構造。
【請求項５】
前記固定金具が、ウェブ部と、該ウェブ部と略垂直をなすフランジ部とからなり、該フランジ部は左右にそれぞれに、少なくとも二股に分岐している挟着片を有しており、
左右の挟着片それぞれについて、前記少なくとも二股に分かれた挟着片の少なくとも一つの分岐片が前記ライトゲージのリップ部の外側面に当接し、他の分岐片が前記リップ部の内側面に当接して、前記ライトゲージに挟着されるものであって、
該固定金具のウェブ部に設けられた穴に、ピン、鋲、ネジ、ビスもしくはボルトが挿入されて、天井もしくは床にそれぞれ天井ランナー、床ランナーを介して固定されるものである、ライトゲージ取り付け金具であることを特徴とする、請求項１から請求項４のいずれか１項に記載の鋼製下地による耐震間仕切り構造。
【請求項６】
高さが５ｍを超える鋼製下地による間仕切り構造であることを特徴とする、請求項１から請求項５のいずれか１項に記載の鋼製下地による耐震間仕切り構造。
【請求項７】
天井に設置された天井ランナーと、床に設置された床ランナーと、該天井ランナーと該床ランナーとの間に立設された厚肉のC型鋼である複数のライトゲージと、前記天井ランナーを介して前記複数のライトゲージを天井に固定する複数の固定金具と、前記床ランナーを介して前記複数のライトゲージを床に固定する複数の固定金具と、前記複数のライトゲージの間に立設された少なくとも１本のスタッドと、前記複数のライトゲージと前記少なくとも１本のスタッドとを貫通する複数の振れ止めと、該複数の振れ止めを前記ライトゲージに接合する複数の接合金具と、前記ライトゲージまたは前記スタッドの側面に貼設された壁材とを備え、
前記ライトゲージと前記スタッドには、複数の振れ止めを、それぞれ挿入させることができ、かつ振れ止めを嵌合する嵌合溝を有している貫通孔が複数、高さ方向に所定の間隔で、前記ライトゲージと前記スタッドとで同じ高さに設けられていることを特徴とする、鋼製下地による耐震間仕切り構造。
【請求項８】
前記複数のライトゲージの間隔が、（一尺−３０ｍｍ）以上（九尺＋３０ｍｍ）以下であることを特徴とする、請求項７記載の鋼製下地による耐震間仕切り構造。
【請求項９】
３本以上の前記ライトゲージを備え、かつ前記ライトゲージ２本が背合わせ状態である一対のライトゲージを少なくとも１つ備えていることを特徴とする、請求項７記載の鋼製下地による耐震間仕切り構造。
【請求項１０】
４本以上の前記ライトゲージを備え、かつ前記一対のライトゲージを複数備えており、該複数の一対のライトゲージの間隔が、（一尺−３０ｍｍ）以上（九尺＋３０ｍｍ）以下であることを特徴とする、請求項９記載の鋼製下地による耐震間仕切り構造。
【請求項１１】
前記固定金具が、ウェブ部と、該ウェブ部と略垂直をなすフランジ部とからなり、該フランジ部は左右にそれぞれに、少なくとも二股に分岐している挟着片を有しており、
左右の挟着片それぞれについて、前記少なくとも二股に分かれた挟着片の少なくとも一つの分岐片が前記ライトゲージのリップ部の外側面に当接し、他の分岐片が前記リップ部の内側面に当接して、前記ライトゲージに挟着されるものであって、
該固定金具のウェブ部に設けられた穴に、ピン、鋲、ネジ、ビスもしくはボルトが挿入されて、天井もしくは床にそれぞれ天井ランナー、床ランナーを介して固定されるものである、ライトゲージ取り付け金具であることを特徴とする、請求項７から請求項１０のいずれか１項に記載の鋼製下地による耐震間仕切り構造。
【請求項１２】
前記接合金具が、ウェブ部と、該ウェブ部の左右それぞれから延出して該ウェブ部とともに断面略コの字状を形成する押え片と、該ウェブ部と略垂直をなすフランジ部とからなり、該フランジ部は左右にそれぞれに、少なくとも二股に分岐している挟着片を有しており、
左右の挟着片それぞれについて、前記少なくとも二股に分かれた挟着片の少なくとも一つの分岐片が前記ライトゲージのリップ部の外側面に当接し、他の分岐片が前記リップ部の内側面に当接して、前記ライトゲージに挟着されるものであって、
該接合金具のウェブ部が振れ止めのウェブ部上面に当接し、左右の押え片がそれぞれ振れ止めの左右のフランジ部外側面に当接して、振れ止めを押さえるものである、振れ止め押え金具であることを特徴とする、請求項７から請求項１１のいずれか１項に記載の鋼製下地による耐震間仕切り構造。
【請求項１３】
高さが５ｍを超える鋼製下地による間仕切り構造であることを特徴とする、請求項７から請求項１２のいずれか１項に記載の鋼製下地による耐震間仕切り構造。
【請求項１４】
厚肉のC型鋼であるライトゲージと振れ止めを接合するための接合金具であって、
ウェブ部と、該ウェブ部の左右それぞれから延出して該ウェブ部とともに断面略コの字状を形成する押え片と、該ウェブ部と略垂直をなすフランジ部とからなり、該フランジ部は左右にそれぞれに、少なくとも二股に分岐している挟着片を有しており、
左右の挟着片それぞれについて、前記少なくとも二股に分かれた挟着片の少なくとも一つの分岐片が前記ライトゲージのリップ部の外側面に当接し、他の分岐片が前記リップ部の内側面に当接して、前記ライトゲージに挟着されるものであって、
該接合金具のウェブ部が振れ止めのウェブ部上面に当接し、左右の押え片がそれぞれ振れ止めの左右のフランジ部外側面に当接して、振れ止めを押さえるものであることを特徴とする、振れ止め押え金具。
【発明の詳細な説明】
【技術分野】
【０００１】
本発明は、鋼製下地による耐震間仕切り構造、該鋼製下地による耐震間仕切り構造に用いるライトゲージ取付金具、および該鋼製下地による耐震間仕切り構造に用いる振れ止め押え金具に関する。
【背景技術】
【０００２】
鋼製下地による間仕切り構造の下地材は、日本工業規格ＪＩＳＡ６５１７に規定されている。この鋼製下地による間仕切り構造は、天井面及び床面に固定したランナー間に薄板を略Ｃ字状に折曲形成した柱材である複数のスタッドを一定間隔に立設し、その表面に石膏ボードなどの壁材を貼設して間仕切り壁とするものである。各スタッドの開放側面（壁構造の内部における壁方向）には、スペーサを装着するとともに、スタッドとスタッドの間には水平方向の振れ止めを配置していた。
【０００３】
日本工業規格ＪＩＳＡ６５１７には、鋼製下地におけるスタッドの高さが、スタッドが１００形でも高さ５ｍ以下と規定されている。そのため、従来、高さ５ｍを超える鋼製下地による間仕切りを施工する場合は、床面１５から天井面１６に、接合部にＬ型アングル１７を使用して鋼製の板厚７ｍｍなどの厚い角鋼１８やＨ型鋼を、Ｈ字状に組み立てて、床面と角鋼３辺で囲まれた部分と、天井面と角鋼３辺で囲まれた部分の上下２つの部分にそれぞれ、日本工業規格ＪＩＳＡ６５１７に規定されている鋼製下地による間仕切り構造の下地材を組み、間仕切りを施工していた。例えば、高さ７ｍの鋼製下地による間仕切りの場合は、床面と角鋼３辺で囲まれた部分の高さが３.５ｍとなり、天井面と角鋼で囲まれた部分の高さが３.５ｍとなり、日本工業規格ＪＩＳＡ６５１７の規定の鋼製下地を施工することができるというものである（図２７参照）。図２８に、従来の間仕切りの図２７のＸ−Ｘ’線断面図を示す。壁材８ｂは、角鋼１８をまたぐように配され、スタッド４’にボードビスｂでビス止めされている。角鋼１８が厚いので、壁材８ｂを角鋼１８に通常ビス止めせず、角鋼１８の両サイドに板厚０.８ｍｍなどのスタッド４’を立設することが多かった。角鋼には、振れ止め５’を貫通させず、振れ止め５’は、スタッドにだけ嵌合しつつ貫通させていた。つまり、振れ止め５’が角鋼１８に接続されていなかった。角鋼１８が無い場所では、壁材はスタッド４’だけにビス止めされていた。
【０００４】
したがって、厚さが薄く、たわみに対する強度が小さいスタッドだけで、地震力を受け持つことになるため、強い地震が来ると水平方向のたわみが大きくなり、ボードビスが外れ、石膏ボード等の壁材が外れるという問題があった。これら従来の鋼製下地による間仕切構造において、昨今の東日本大震災においても、ビスが外れ、壁材がずれることが多く確認された。また、従来スタッドは、通常天井ランナーと床ランナーに嵌め込むだけで、固定金具で天井や床に固定するものではなかった。また、従来スタッドと振れ止めを接合するのに、スペーサを使用することが知られているが、スペーサでは十分な接合強度を確保できないという問題があった。
【０００５】
また、筋交い部材を使用する鋼製下地による耐震間仕切り構造が知られている（特許文献１）。この筋交い部材を使用する鋼製下地による耐震間仕切り構造は、天井面のランナ１と床面のランナ２の間に複数のスタッド３，３を立設し、各スタッドの水平方向に振れ止め４，４を貫通させ、スタッド３，３の側面に壁材を貼設する間仕切り構造において、スタッドの外側面に下壁材６の厚みＴよりも小さな高さＨの断面Ｕ字状の筋交い部材５を斜め方向に定着し、該筋交い部材５の上方及び下方にはそれぞれ筋交い部材５の上下側面に当接させてスタッドの外側面に下壁材６を貼着するとともに、断面Ｕ字状の筋交い部材５を挟んだ下壁材６と６の間の空間には下壁材６と同一の高さとなるべく別の壁材を充填し、外表面の全面に上壁材７を貼着したことを特徴としている。
【０００６】
しかし、特許文献１の鋼製下地による耐震間仕切り構造は、筋交い部材５が必要となるために、壁材を貼設する際に、「スタッドの外側面に下壁材６の厚みＴよりも小さな高さＨの断面Ｕ字状の筋交い部材５を斜め方向に定着し、該筋交い部材５の上方及び下方にはそれぞれ筋交い部材５の上下側面に当接させてスタッドの外側面に下壁材６を貼着するとともに、断面Ｕ字状の筋交い部材５を挟んだ下壁材６と６の間の空間には下壁材６と同一の高さとなるべく別の壁材を充填し、外表面の全面に上壁材７を貼着する。」といった非常に手間のかかる作業を行うので、作業コストが高くなるという問題があった。さらには、下壁材６と上壁材７といった壁材を２枚重ねるため、壁厚が増してしまうという問題があった。
【先行技術文献】
【特許文献】
【０００７】
【特許文献１】特開平９-３２１６１号公報
【発明の概要】
【発明が解決しようとする課題】
【０００８】
本発明は、上記の問題点を解決するため鋭意研究した結果成し得たものであり、本発明の目的は、耐震性に優れ強い地震が起きた場合でも石膏ボード等の壁材が外れにくく、かつ施工が容易な鋼製下地による耐震間仕切り構造および該耐震間仕切り構造に有用なライトゲージ取付金具および該耐震間仕切り構造に有用な振れ止め押え金具を提供することにある。
【課題を解決するための手段】
【０００９】
請求項１に係る発明の鋼製下地による耐震間仕切り構造は、
天井に設置された天井ランナーと、床に設置された床ランナーと、該天井ランナーと該床ランナーとの間に立設された厚肉のC型鋼である複数のライトゲージと、前記天井ランナーを介して前記複数のライトゲージを天井に固定する複数の固定金具と、前記床ランナーを介して前記複数のライトゲージを床に固定する複数の固定金具と、前記複数のライトゲージを水平方向に貫通する複数の振れ止めと、該複数の振れ止めを前記ライトゲージに接合する複数の接合金具と、前記ライトゲージの側面に貼設された壁材とを備え、
前記ライトゲージには、複数の振れ止めを、それぞれ挿入させることができ、かつ振れ止めを嵌合する嵌合溝を有している貫通孔が複数、高さ方向に所定の間隔で設けられていることを特徴とする。
【００１０】
請求項２に係る発明の鋼製下地による耐震間仕切り構造は、
天井に設置された天井ランナーと、床に設置された床ランナーと、該天井ランナーと該床ランナーとの間に立設された厚肉のC型鋼である複数のライトゲージと、前記天井ランナーを介して前記複数のライトゲージを天井に固定する複数の固定金具と、前記床ランナーを介して前記複数のライトゲージを床に固定する複数の固定金具と、前記複数のライトゲージの間に立設された少なくとも１本のスタッドと、前記複数のライトゲージと前記少なくとも１本のスタッドとを貫通する複数の振れ止めと、該複数の振れ止めを前記ライトゲージに接合する複数の接合金具と、前記ライトゲージまたは前記スタッドの側面に貼設された壁材とを備え、
前記ライトゲージと前記スタッドには、複数の振れ止めを、それぞれ挿入させることができ、かつ振れ止めを嵌合する嵌合溝を有している貫通孔が複数、高さ方向に所定の間隔で、前記ライトゲージと前記スタッドとで同じ高さに設けられていることを特徴とする。
【００１１】
請求項３に係る発明の鋼製下地による耐震間仕切り構造は、
前記複数のライトゲージの間隔が、（一尺−３０ｍｍ）以上（九尺＋３０ｍｍ）以下であることを特徴とする、請求項１または請求項２記載の鋼製下地による耐震間仕切り構造である。
【００１２】
請求項４に係る発明の鋼製下地による耐震間仕切り構造は、
３本以上の前記ライトゲージを備え、かつ前記ライトゲージ２本が背合わせ状態である一対のライトゲージを少なくとも１つ備えていることを特徴とする、請求項１または請求項２記載の鋼製下地による耐震間仕切り構造である。３本以上の前記ライトゲージを備えることは、前記複数のライトゲージが３本以上のライトゲージであるということである。一対のライトゲージは、前記複数のライトゲージのうちの２本のライトゲージが背合わせされてなるものである。前記背合わせとは、２本のライトゲージのウェブ部同士を当接した状態とも言える。請求項４に係る発明の鋼製下地による耐震間仕切り構造において、４本以上の前記ライトゲージを備え、かつ前記ライトゲージ２本が背合わせ状態である一対のライトゲージを複数備えていることが好ましい。
【００１３】
請求項５に係る発明の鋼製下地による耐震間仕切り構造は、
４本以上の前記ライトゲージを備え、かつ前記一対のライトゲージを複数備えており、該複数の一対のライトゲージの間隔が、（一尺−３０ｍｍ）以上（九尺＋３０ｍｍ）以下であることを特徴とする、請求項４記載の鋼製下地による耐震間仕切り構造である。４本以上の前記ライトゲージを備えることは、前記複数のライトゲージが４本以上のライトゲージであるということである。
【００１４】
請求項６に係る発明の鋼製下地による耐震間仕切り構造は、
前記固定金具が、ウェブ部と、該ウェブ部と略垂直をなすフランジ部とからなり、該フランジ部は左右にそれぞれに、少なくとも二股に分岐している挟着片を有しており、
左右の挟着片それぞれについて、前記少なくとも二股に分かれた挟着片の少なくとも一つの分岐片が前記ライトゲージのリップ部の外側面に当接し、他の分岐片が前記リップ部の内側面に当接して、前記ライトゲージに挟着されるものであって、
該固定金具のウェブ部に設けられた穴に、ピン、鋲、ネジ、ビスもしくはボルトが挿入されて、天井もしくは床にそれぞれ天井ランナー、床ランナーを介して固定されるものである、ライトゲージ取り付け金具であることを特徴とする、請求項１から請求項５のいずれか１項に記載の鋼製下地による耐震間仕切り構造である。
【００１５】
請求項７に係る発明の鋼製下地による耐震間仕切り構造は、
前記接合金具が、ウェブ部と、該ウェブ部の左右それぞれから延出して該ウェブ部とともに断面略コの字状を形成する押え片と、該ウェブ部と略垂直をなすフランジ部とからなり、該フランジ部は左右にそれぞれに、少なくとも二股に分岐している挟着片を有しており、
左右の挟着片それぞれについて、前記少なくとも二股に分かれた挟着片の少なくとも一つの分岐片が前記ライトゲージのリップ部の外側面に当接し、他の分岐片が前記リップ部の内側面に当接して、前記ライトゲージに挟着されるものであって、
該接合金具のウェブ部が振れ止めのウェブ部上面に当接し、左右の押え片がそれぞれ振れ止めの左右のフランジ部外側面に当接して、振れ止めを押さえるものである、振れ止め押え金具であることを特徴とする、請求項１から請求項６のいずれか１項に記載の鋼製下地による耐震間仕切り構造である。
【００１６】
請求項８に係る発明の鋼製下地による耐震間仕切り構造は、
高さが５ｍを超える鋼製下地による間仕切り構造であることを特徴とする、請求項１から請求項７のいずれか１項に記載の鋼製下地による耐震間仕切り構造である。
【００１７】
請求項９に係る発明のライトゲージ取付金具は、
厚肉のC型鋼であるライトゲージを、ランナーを介して天井もしくは床に固定するための固定金具であって、
ウェブ部と、該ウェブ部と略垂直をなすフランジ部とからなり、該フランジ部は左右にそれぞれに、少なくとも二股に分岐している挟着片を有しており、
左右の挟着片それぞれについて、前記少なくとも二股に分かれた挟着片の少なくとも一つの分岐片が前記ライトゲージのリップ部の外側面に当接し、他の分岐片が前記リップ部の内側面に当接して、前記ライトゲージに挟着されるものであって、
該固定金具のウェブ部に設けられた穴に、ピン、鋲、ネジもしくはボルトが挿入されて、天井もしくは床にそれぞれ天井ランナー、床ランナーを介して固定されるものであることを特徴とする。
【００１８】
請求項１０に係る発明の振れ止め押え金具は、
厚肉のC型鋼であるライトゲージと振れ止めを接合するための接合金具であって、
ウェブ部と、該ウェブ部の左右それぞれから延出して該ウェブ部とともに断面略コの字状を形成する押え片と、該ウェブ部と略垂直をなすフランジ部とからなり、該フランジ部は左右にそれぞれに、少なくとも二股に分岐している挟着片を有しており、
左右の挟着片それぞれについて、前記少なくとも二股に分かれた挟着片の少なくとも一つの分岐片が前記ライトゲージのリップ部の外側面に当接し、他の分岐片が前記リップ部の内側面に当接して、前記ライトゲージに挟着されるものであって、
該接合金具のウェブ部が振れ止めのウェブ部上面に当接し、左右の押え片がそれぞれ振れ止めの左右のフランジ部外側面に当接して、振れ止めを押さえるものであることを特徴とする。
【発明の効果】
【００１９】
請求項１に係る発明の鋼製下地による耐震間仕切り構造は、振れ止めが、複数のライトゲージにそれぞれ嵌合しつつ貫通しているので、強度が強いライトゲージをベースにして強度が強いライトゲージと壁材が一体化して壁全体での剛性を確保することができ、壁構造として一体的に地震力に対して強度を持つといった耐震性があり、強い地震が起きた場合でも石膏ボード等の壁材が外れにくいという効果がある。また、本発明鋼製下地による耐震間仕切り構造によれば、従来の鋼製下地の間仕切り構造では施工できなかった高さが５ｍを超える間仕切りを施工することができる。また、本発明鋼製下地による耐震間仕切り構造によれば、ライトゲージの外側に筋交い部材が必要ないので、壁材の施工も容易であり、壁厚も厚くならない。
請求項２に係る発明の鋼製下地による耐震間仕切り構造は、振れ止めが、スタッドと複数のライトゲージとにそれぞれ嵌合しつつ貫通しているので、強度が強いライトゲージをベースにして強度が強いライトゲージとスタッドと壁材が一体化して壁全体での剛性を確保することができ、壁構造として一体的に地震力に対して強度を持つといった耐震性があり、強い地震が起きた場合でも石膏ボード等の壁材が外れにくいという効果がある。また、本発明鋼製下地による耐震間仕切り構造によれば、従来の鋼製下地の間仕切り構造では施工できなかった高さが５ｍを超える間仕切りを施工することができる。また、本発明鋼製下地による耐震間仕切り構造によれば、スタッドやライトゲージの外側に筋交い部材が必要ないので、壁材の施工も容易であり、壁厚も厚くならない。
請求項３に係る発明の鋼製下地による耐震間仕切り構造は、床から天井までの高さが５ｍを超える場所に、鋼製下地による耐震間仕切りを施工することができる。
請求項４および請求項５に係る発明の鋼製下地による耐震間仕切り構造は、ライトゲージ２本が背合わせ状態である一対のライトゲージを備えているので、間仕切りの強度が増し、１０.７ｍを超える高さの間仕切りを施工することが出来る。また、同じ高さの間仕切りにおいて、一対のライトゲージ間隔を、通常のライトゲージの間隔よりも広くできる。よって、一対のライトゲージの間隔が広くできるので、壁材が貼設しやすいスタッドを配置することが容易である。
請求項６に係る発明の鋼製下地による耐震間仕切り構造は、請求項９のライトゲージ取付金具を用いるので、鋼製下地による耐震間仕切り構造を容易に施工でき、かつ強度が強いライトゲージを強固に天井もしくは床に強固に固定でき、この固定された強度が強いライトゲージがベースになって壁全体を支持して、壁全体での耐震性を確保することができる。
請求項７に係る発明の鋼製下地による耐震間仕切り構造は、請求項１０の振れ止め押え金具を用いるので、鋼製下地による耐震間仕切り構造を容易に施工でき、かつ強度が強いライトゲージをベースにして強度が強いライトゲージとスタッドと壁材を一体化して壁全体での剛性を確保することができる。
請求項８に係る発明の鋼製下地による耐震間仕切り構造は、床から天井までの高さが５ｍを超える場所に、鋼製下地による耐震間仕切りを施工することができる。
請求項９に係る発明のライトゲージ取付金具は、ライトゲージを、ランナーを介して天井もしくは床に固定することが容易であり、施工性に優れ、かつ十分な固定強度を確保できる。したがって、上記発明の鋼製下地による耐震間仕切り構造を容易に施工でき、また、本発明の鋼製下地による耐震間仕切り構造において、強度が強いライトゲージを強固に天井もしくは床に強固に固定できるので、この固定された強度が強いライトゲージがベースになって壁全体を支持して、壁全体での耐震性を確保することに非常に役立つ。
請求項１０に係る発明の振れ止め押え金具によって、ライトゲージと振れ止めを容易に接合することができ、かつ十分な接合強度を確保できる。したがって、上記発明の鋼製下地による耐震間仕切り構造を容易に施工でき、また、本発明の鋼製下地による耐震間仕切り構造において、強度が強いライトゲージをベースにして強度が強いライトゲージとスタッドと壁材を一体化させ壁全体での剛性を確保することに非常に役立つ。
【図面の簡単な説明】
【００２０】
【図１】図１は、本発明の鋼製下地による耐震間仕切り構造の概略側面図である。なお、図１において、壁材は点線で表している。
【図２】図２は、図１のＸ−Ｘ’線断面図である。なお、図２において、振れ止め押さえ金具は省略している。
【図３】図３は、本発明の鋼製下地による耐震間仕切り構造におけるライトゲージをウェブ部側から見た図である。
【図４】図４は、本発明の鋼製下地による耐震間仕切り構造におけるスタッドをウェブ部側から見た図である。
【図５】図５は、本発明におけるライトゲージ取付金具の正面図である。
【図６】図６は、本発明におけるライトゲージ取付金具の右側側面図である。
【図７】図７は、本発明におけるライトゲージ取付金具の平面図である。
【図８】図８は、本発明におけるライトゲージ取付金具の正面図である。
【図９】図９は、本発明におけるライトゲージ取付金具の右側側面図である。
【図１０】図１０は、本発明におけるライトゲージ取付金具の平面図である。
【図１１】図１１は、本発明におけるライトゲージ取付金具をライトゲージに挟着し、天井に固定した状態を示す該略図である。
【図１２】図１２は、本発明におけるライトゲージ取付金具をライトゲージに挟着し、床に固定した状態を示す該略図である。
【図１３】図１３は、図１２のＸ−Ｘ’線断面図である。
【図１４】図１４は、本発明における振れ止め押え金具の正面図である。
【図１５】図１５は、本発明における振れ止め押え金具の右側側面図である。
【図１６】図１６は、本発明における振れ止め押え金具の平面図である。
【図１７】図１７は、本発明における振れ止め押え金具の正面図である。
【図１８】図１８は、本発明における振れ止め押え金具の右側側面図である。
【図１９】図１９は、本発明における振れ止め押え金具の平面図である。
【図２０】図２０は、本発明におけるライトゲージをウェブ部側から見た拡大図である。
【図２１】図２１は、本発明におけるライトゲージをウェブ部側から見た拡大図である。
【図２２】図２２は、本発明におけるスタッドをウェブ部側から見た拡大図である。
【図２３】図２３は、本発明におけるスタッドをウェブ部側から見た拡大図である。
【図２４】図２４は、本発明における振れ止め押え金具をライトゲージに挟着した状態を示す該略図である。
【図２５】図２５は、図２４のＸ−Ｘ’線断面図である。
【図２６】図２６は、本発明における、長尺部材のＣ型鋼（左上図）、ウェブ部と２つのフランジ部を有し、略コの字形状の断面を呈している長尺部材の形鋼（右上図）、長尺部材のＨ型鋼（左下図）、２つのウェブ部と２つのフランジ部を有し、中空略四角形の断面を有する長尺部材の形鋼（右下図）の概略断面図である。なお、本概略断面図は、単にフランジ部、ウェブ部、リップ部の位置を相対的に示しただけの図であり、各形鋼の形状がこれに限定されるものではない。
【図２７】図２７は、従来の鋼製下地による間仕切り構造の概略側面図である。なお、図２７において、壁材は点線で表している。
【図２８】図２８は、図２７のＸ−Ｘ’線断面図である。なお、図２８において、Ｌ型アングルは省略している。
【図２９】図２９は、本発明の鋼製下地による耐震間仕切り構造における部分断面図である。なお、図２９において、ライトゲージ取付金具、振れ止め押さえ金具は省略している。
【図３０】図３０は、本発明の鋼製下地による耐震間仕切り構造における部分断面図である。なお、図３０において、ライトゲージ取付金具、振れ止め押さえ金具は省略している。
【図３１】図３１は、本発明の鋼製下地による耐震間仕切り構造における部分断面図である。なお、図３１において、ライトゲージ取付金具、振れ止め押さえ金具は省略している。
【図３２】図３２は、本発明の鋼製下地による耐震間仕切り構造における部分断面図である。なお、図３２において、ライトゲージ取付金具、振れ止め押さえ金具は省略している。
【発明を実施するための形態】
【００２１】
本発明の第１態様の鋼製下地による耐震間仕切り構造は、
天井に設置された天井ランナーと、床に設置された床ランナーと、該天井ランナーと該床ランナーとの間に立設された厚肉のC型鋼である複数のライトゲージと、前記天井ランナーを介して前記複数のライトゲージを天井に固定する複数の固定金具と、前記床ランナーを介して前記複数のライトゲージを床に固定する複数の固定金具と、前記複数のライトゲージを水平方向に貫通する複数の振れ止めと、該複数の振れ止めを前記ライトゲージに接合する複数の接合金具と、前記ライトゲージの側面に貼設された壁材とを備え、
前記ライトゲージには、複数の振れ止めを、それぞれ挿入させることができ、かつ振れ止めを嵌合する嵌合溝を有している貫通孔が複数、高さ方向に所定の間隔で設けられていることを特徴とする。
なお、本発明の鋼製下地による耐震間仕切り構造において、天井には、天井面の意味を含み、床には、床面の意味を含むものである。
【００２２】
また、本発明の第２態様の鋼製下地による耐震間仕切り構造は、
天井に設置された天井ランナーと、床に設置された床ランナーと、該天井ランナーと該床ランナーとの間に立設された厚肉のC型鋼である複数のライトゲージと、前記天井ランナーを介して前記複数のライトゲージを天井に固定する複数の固定金具と、前記床ランナーを介して前記複数のライトゲージを床に固定する複数の固定金具と、前記複数のライトゲージの間に立設された少なくとも１本のスタッドと、前記複数のライトゲージと前記少なくとも１本のスタッドとを貫通する複数の振れ止めと、該複数の振れ止めを前記ライトゲージに接合する複数の接合金具と、前記ライトゲージまたは前記スタッドの側面に貼設された壁材とを備え、
前記ライトゲージと前記スタッドには、複数の振れ止めを、それぞれ挿入させることができ、かつ振れ止めを嵌合する嵌合溝を有している貫通孔が複数、高さ方向に所定の間隔で、前記ライトゲージと前記スタッドとで同じ高さに設けられていることを特徴とする。
なお、本発明の鋼製下地による耐震間仕切り構造において、天井には、天井面の意味を含み、床には、床面の意味を含むものである。
【００２３】
また、本発明の第３態様の鋼製下地による耐震間仕切り構造は、本発明の第１態様において、３本以上の前記ライトゲージを備え、かつ前記ライトゲージ２本が背合わせ状態である一対のライトゲージを少なくとも１つ備えている鋼製下地による耐震間仕切り構造である。特に強度の点で、前記一対のライトゲージが複数構成されていることが好ましい。また、背合わせされたライトゲージ同士がビス、ボルト、ピン、鋲もしくはネジ等で止められていることが好ましい。
本発明の第３態様には、ライトゲージ３と一対のライトゲージ３Ｗとを備えていることや、一対のライトゲージ３Ｗを複数備えていることが含まれる。
【００２４】
また、本発明の第４態様の鋼製下地による耐震間仕切り構造は、本発明の第２態様において、３本以上の前記ライトゲージを備え、かつ前記ライトゲージ２本が背合わせ状態である一対のライトゲージを少なくとも１つ備えている鋼製下地による耐震間仕切り構造である。特に強度の点で、前記一対のライトゲージが複数構成されていることが好ましい。また、背合わせされたライトゲージ同士がビス、ボルト、ピン、鋲もしくはネジ等で止められていることが好ましい。
本発明の第４態様において、一対のライトゲージはライトゲージ２本で構成されているので、複数のライトゲージの間に立設された少なくとも１本のスタッドを備えていることは、ライトゲージと一対のライトゲージとの間に立設された少なくとも１本スタッドを備えていること、複数の一対のライトゲージの間に立設された少なくとも１本スタッドを備えていること、一対のライトゲージを備えつつ、別の複数のライトゲージの間に立設された少なくとも１本スタッドを備えていることを含む。
【００２５】
以下本発明の第１態様、第２態様、第３態様および第４態様の鋼製下地による耐震間仕切り構造の好ましい実施の形態を、図面１〜図２６、図２９〜図３２に基づいて説明する。
【００２６】
本発明の第１態様、第２態様、第３態様および第４態様の鋼製下地による耐震間仕切り構造は、高さが５ｍを超える間仕切りとすることができる。図１においては、７ｍである。なお、本発明の鋼製下地による耐震間仕切り構造は、高さが５ｍ以下の間仕切りとすることはもちろん可能であり、日本工業規格ＪＩＳＡ６５１７に規定される鋼製下地による間仕切り構造の下地材を使った間仕切り構造に比べ、耐震性に優れた間仕切り構造となる。
【００２７】
本発明の第１態様、第２態様、第３態様および第４態様において、天井ランナー１と床ランナー２は、対向するように、それぞれ天井と床に設置されている。天井に設置された天井ランナー１と床に設置された床ランナー２はともに、ウェブ部と２つのフランジ部を有し、略コの字形状の断面を呈している長尺部材の形鋼であることが好ましく、該略コの字の開放面が、天井ランナーでは下を向いており、床ランナーでは上を向いている（図１１，図１２，図２６参照）。
天井ランナー１および床ランナー２は、日本工業規格ＪＩＳＡ６５１７（２０１０）に規定されている６５形間仕切用ランナー（記号ＷＲ−６５）、７５形間仕切用ランナー（記号ＷＲ−７５）、９０形間仕切用ランナー（記号ＷＲ−９０）、１００形間仕切用ランナー（記号ＷＲ−１００）を使用することが好ましい。但し、日本工業規格ＪＩＳＡ６５１７（２０１０）における長さ（Ｌ）の規定を除くものとする。
天井ランナー１および床ランナー２の寸法は、幅Ａ（ウェブ部の外寸Ａ）６６.５ｍｍ以上１０２.５ｍｍ以下、高さＢ（フランジ部の外寸Ｂ）３０ｍｍ以上７０ｍｍ以下、板厚ｔ０.６５ｍｍ以上１.３５以下であることが好ましく、より好ましくは、幅Ａ（ウェブ部の外寸Ａ）６６.５ｍｍ以上１０２.５ｍｍ以下、高さＢ（フランジ部の外寸Ｂ）３９ｍｍ以上４１ｍｍ以下、板厚ｔ０.６５ｍｍ以上０.９５以下であることが好ましい。なお、天井ランナー１および床ランナー２において、２つあるフランジ部の一方のフランジ部の外寸が他方のフランジ部の外寸より大きくてもよい。
【００２８】
本発明の第１態様では、天井ランナー１と床ランナー２と間に、長尺部材であり、厚肉のC型鋼である複数のライトゲージ３が立設されている。
本発明の第３態様では、天井ランナー１と床ランナー２と間に、長尺部材であり、厚肉のC型鋼である複数のライトゲージ３が立設されており、３本以上のライトゲージ３を備え、かつ該ライトゲージ２本が背合わせ状態である一対のライトゲージ３Ｗを少なくとも１つ備えている（図２９、図３１参照）。
本発明の第１態様および第３態様において、ライトゲージ３の高さ方向の長さは、天井ランナー１のウェブ部と床ランナー２のウェブ部と間の距離と等しいことが好ましい。ライトゲージ３は、その上部とその下部において、天井ランナー１の２つのフランジ部間と床ランナー２の２つフランジ部間に挿入されて立設されている。
【００２９】
本発明の第２態様は、本発明の第１態様において、厚肉のC型鋼である複数のライトゲージ３の間に、形鋼であるスタッド４が少なくとも１本立設されているものである。
本発明の第４態様は、本発明の第３態様において、厚肉のC型鋼である複数のライトゲージ３の間、ライトゲージ３と一対のライトゲージ３Ｗの間、もしくは複数の一対のライトゲージ３Ｗの間に、形鋼であるスタッド４が少なくとも１本立設されているものである（図３０、図３２参照）。
本発明の第２態様では、天井ランナー１と床ランナー２と間に、長尺部材であり、厚肉のC型鋼である複数のライトゲージ３が立設されており、複数のライトゲージ３の間に少なくとも１本（図１においては２本）の形鋼であるスタッド４が立設されている（図１参照）。
本発明の第４態様では、天井ランナー１と床ランナー２と間に、長尺部材であり、厚肉のC型鋼である複数のライトゲージ３が立設されており、３本以上のライトゲージ３を備え、かつ該ライトゲージ２本が背合わせ状態である一対のライトゲージ３Ｗを少なくとも１つ備えており、複数のライトゲージ３の間、ライトゲージ３と一対のライトゲージ３Ｗの間、もしくは複数の一対のライトゲージ３Ｗの間に少なくとも１本（図３０、図３２においては１本）の形鋼であるスタッド４が立設されている（図３０、図３２参照）。
スタッド４の本数は、複数のライトゲージ３の間隔やスタッド５の間隔に応じて変わることが好ましい。例えば、ライトゲージ３の間隔が３尺の場合は２本、６尺のときは５本、９尺のときは８本となることが挙げられる。
ライトゲージ３とスタッド４の高さ方向の長さは、天井ランナー１のウェブ部と床ランナー２のウェブ部と間の距離と等しいことが好ましい。ライトゲージ３およびスタッド４は、それぞれその上部とその下部において、天井ランナー１の２つのフランジ部間と床ランナー２の２つフランジ部間に挿入されて立設されている。
スタッドの形鋼としては、長尺部材のＣ型鋼、ウェブ部と２つのフランジ部を有し、略コの字形状の断面を呈している長尺部材の形鋼、長尺部材のＨ型鋼、２つのウェブ部と２つのフランジ部を有し、中空略四角形の断面を有する長尺部材の形鋼が例示される（図２６参照）。なお、図２６の概略断面図は、単にフランジ部、ウェブ部、リップ部の位置を相対的に示しただけの図であり、各形鋼の形状がこれに限定されるものではない。
【００３０】
本発明の第１態様、第２態様、第３態様および第４態様において、ライトゲージ３は、日本工業規格ＪＩＳＧ３３５０（ＳＳＣ４００，１９８７）に規定されているリップ溝形鋼を使用することが好ましい。
ライトゲージ３の寸法は、幅Ａ（ウェブ部の外寸Ａ）５８.５ｍｍ以上１０１.５ｍｍ以下、高さＢ（フランジ部の外寸Ｂ）２８.５ｍｍ以上５１.５ｍｍ以下、板厚ｔ１.３８ｍｍ以上３.５ｍｍ以下、リップ部の長さｃ（リップ部の外寸ｃ）８ｍｍ以上３５ｍｍ以下であることが好ましい。板厚ｔのより好ましい値は、２.０５ｍｍ以上２.５５ｍｍである。なお、幅Ａ（ウェブ部の外寸Ａ）、高さＢ（フランジ部の外寸Ｂ）、板厚ｔ、リップ部の長さｃ（リップ部の外寸ｃ）の相対的位置については、図２６の左上図が参考にされる。
隣り合う２本のライトゲージ３において、一対のライトゲージ３Ｗを除いて、ライトゲージ３のＣ型鋼における開放面（ウェブ部と反対側面）の向きを逆にすること、または、一つの間仕切構造において、間仕切りの側面視中心から側面視左側にあるライトゲージ３と、側面視右側にあるライトゲージ３とで、一対のライトゲージ３Ｗを除いて、ライトゲージ３の開放面（ウェブ部と反対側面）の向きを逆にすること、が好ましい。
【００３１】
本発明の第２態様および第４態様において、スタッド４は、日本工業規格ＪＩＳＡ６５１７（２０１０）に規定されている６５形間仕切用スタッド（記号ＷＳ−６５）、７５形間仕切用スタッド（記号ＷＳ−７５）、９０形間仕切用スタッド（記号ＷＳ−９０）、１００形間仕切用スタッド（記号ＷＳ−１００）を使用することが好ましい。但し、日本工業規格ＪＩＳＡ６５１７（２０１０）における長さ（Ｌ）の規定を除くものとする。
スタッド４が長尺部材のＣ型鋼の場合の寸法は、幅Ａ（ウェブ部の外寸Ａ）６４.５ｍｍ以上１００.５ｍｍ以下、高さＢ（フランジ部の外寸Ｂ）２９ｍｍ以上５１ｍｍ以下、板厚ｔ０.６５ｍｍ以上０.９５ｍｍ以下、リップ部の長さｃ（リップ部の外寸ｃ）３ｍｍ以上２７ｍｍ以下であることが好ましい。
スタッド４がウェブ部と２つのフランジ部を有し、略コの字形状の断面を呈している長尺部材の形鋼の場合の寸法は、幅Ａ（ウェブ部の外寸Ａ）６４.５ｍｍ以上１００.５ｍｍ以下、高さＢ（フランジ部の外寸Ｂ）２９ｍｍ以上５１ｍｍ以下、板厚ｔ０.６５ｍｍ以上０.９５ｍｍ以下であることが好ましい。
スタッド４が長尺部材のＨ型鋼の場合の寸法は、幅Ａ（ウェブ部の外寸Ａ）６４.５ｍｍ以上１００.５ｍｍ以下、高さＢ（フランジ部の外寸Ｂ）２９ｍｍ以上５１ｍｍ以下、板厚ｔ０.６５ｍｍ以上０.９５ｍｍ以下であることが好ましい。
スタッド４が２つのウェブ部と２つのフランジ部を有し、中空略四角形の断面を有する長尺部材の形鋼の場合の寸法は、、幅Ａ（ウェブ部の外寸Ａ）６４.５ｍｍ以上１００.５ｍｍ以下、高さＢ（フランジ部の外寸Ｂ）２９ｍｍ以上５１ｍｍ以下、板厚ｔ０.６５ｍｍ以上０.９５以下であることが好ましい。
【００３２】
本発明の第１態様、第２態様において、複数のライトゲージ３の間隔は、（一尺−３０ｍｍ）以上（九尺＋３０ｍｍ）以下であることが好ましい。（一尺−３０ｍｍ）は、一尺マイナス３０ｍｍの値であり、（九尺＋３０ｍｍ）は、九尺プラス３０ｍｍの値であり、一尺は３０３ｍｍであり、これらのことは以下も同様である。なお、ライトゲージ３の間隔とは、ライトゲージ３のフランジ部の中心から隣り合うライトゲージ３のフランジ部の中心までの距離である。なお、前記隣り合うとは、スタッド４を除いての隣り合うという意味である。
【００３３】
このようなライトゲージ３の間隔とすることで、高さが５ｍより大きく、１０.７ｍ以下の間仕切りを施工することができる。よって、本発明の第１態様、第２態様において、高さが５ｍを超え、１０.７ｍ以下の鋼製下地による間仕切り構造であることがより好ましい。間仕切りの高さが低いほど、ライトゲージ３の間隔は大きく、間仕切りの高さが高いほど、ライトゲージ３の間隔は小さくすることが好ましい。
【００３４】
本発明の第１態様、第２態様では、複数のライトゲージ３（寸法幅Ａ１００ｍｍ×高さＢ５０ｍｍ×ｔ２.３ｍｍ）の間隔を一尺とした場合、高さ１０.２ｍの間仕切りを施工することができる。また、本発明の第２態様では、複数のライトゲージ３（寸法幅Ａ１００ｍｍ×高さＢ５０ｍｍ×ｔ２.３ｍｍ）の間隔を二尺とし、スタッド４（寸法幅Ａ１００ｍｍ×高さＢ４５ｍｍ×ｔ０.８ｍｍ）１本を、複数のライトゲージ３の中間に立設した場合、高さ１０.２ｍの間仕切りを施工することができる。
【００３５】
本発明の第１態様、第２態様において、ライトゲージ３の厚さを厚くすることで、この高さ以上の間仕切りを施工することができる。本発明の第１態様、第２態様では、複数のライトゲージ３（寸法幅Ａ１００ｍｍ×高さＢ５０ｍｍ×ｔ３.２ｍｍ）の間隔を一尺とした場合、高さ１０.７ｍの間仕切りを施工することができる。また、本発明の第２態様では、複数のライトゲージ３（寸法幅Ａ１００ｍｍ×高さＢ５０ｍｍ×ｔ３.２ｍｍ）の間隔を二尺とし、スタッド４（寸法幅Ａ１００ｍｍ×高さＢ４５ｍｍ×ｔ０.８ｍｍ）１本を、複数のライトゲージ３の中間に立設した場合、高さ１０.７ｍの間仕切りを施工することができる。
【００３６】
さらには、本発明の第１態様、第２態様において、複数のライトゲージ３の間隔は、（一尺−３０ｍｍ）以上（九尺＋３０ｍｍ）以下であり、かつ（半尺−３０ｍｍ）以上（半尺＋３０ｍｍ）以下の値の整数倍の値であることがより好ましい。これは、壁材の規格寸法に対応するためである。なお、（半尺−３０ｍｍ）は、半尺マイナス３０ｍｍの値であり、（半尺＋３０ｍｍ）は、半尺プラス３０ｍｍの値であり、これらのことは以下も同様である。
さらには、本発明の第１態様においては、スタッドが無いので、複数のライトゲージ３の間隔は、（一尺−３０ｍｍ）以上（二尺＋３０ｍｍ）以下であることが好ましく、より好ましくは（一尺−３０ｍｍ）以上（一尺＋３０ｍｍ）以下である。さらに、複数のライトゲージ３の間隔は、（一尺−３０ｍｍ）以上（二尺＋３０ｍｍ）以下であり、かつ（半尺−３０ｍｍ）以上（半尺＋３０ｍｍ）以下の値の整数倍の値であることがより好ましい。なお、（二尺＋３０ｍｍ）は、二尺プラス３０ｍｍの値であり、このことは以下も同様である。
【００３７】
本発明の第３態様、第４態様において、複数のライトゲージ３が隣り合う場合の複数のライトゲージ３の間隔、ライトゲージ３と一対のライトゲージ３Ｗが隣り合う場合のライトゲージ３と一対のライトゲージ３Ｗとの間隔、複数の一対のライトゲージ３Ｗが隣り合う場合の複数の一対のライトゲージ３Ｗの間隔は、（一尺−３０ｍｍ）以上（九尺＋３０ｍｍ）以下であることが好ましい。なお、前記隣り合うとは、スタッド４を除いての隣り合うという意味である。
なお、複数のライトゲージ３の間隔とは、ライトゲージ３のフランジ部の中心から隣り合うライトゲージ３のフランジ部の中心までの距離である。ライトゲージ３と一対のライトゲージ３Ｗが隣り合う場合、ライトゲージ３と一対のライトゲージ３Ｗとの間隔とは、イトゲージ３のフランジ部の中心から隣り合う一対のライトゲージ３Ｗの背合わせ面（当接面）３Ｗｔまでの距離である（図２９、図３０参照。これら図において複数の一対のライトゲージ３Ｗの間隔はＰ１で表わされている）。複数の一対のライトゲージ３Ｗの間隔とは、一対のライトゲージ３Ｗの背合わせ面（当接面）３Ｗｔから隣り合う一対のライトゲージ３Ｗの背合わせ面（当接面）３Ｗｔまでの距離である（図３１、図３２参照。これら図において複数の一対のライトゲージ３Ｗの間隔はＰ２で表わされている）。
【００３８】
このようなライトゲージ３の間隔とすることで、高さが５ｍより大きく、１１.９８ｍ以下の間仕切りを施工することができる。よって、本発明の第３態様、第４態様において、高さが５ｍを超え、１１.９８ｍ以下の鋼製下地による間仕切り構造であることがより好ましい。間仕切りの高さが低いほど、ライトゲージ３や一対のライトゲージ３Ｗの間隔は大きく、間仕切りの高さが高いほど、ライトゲージ３や一対のライトゲージ３Ｗの間隔は小さくすることが好ましい。
【００３９】
本発明の第３態様、第４態様では、複数の一対のライトゲージ３Ｗ（ライトゲージ３：寸法幅Ａ１００ｍｍ×高さＢ５０ｍｍ×ｔ２.３ｍｍ、このライトゲージ３を２本背合わせにしたもの）の間隔を一尺とした場合、高さ１１.５ｍの間仕切りを施工することができる。また、本発明の第４態様では、複数の一対のライトゲージ３Ｗ（ライトゲージ３：寸法幅Ａ１００ｍｍ×高さＢ５０ｍｍ×ｔ２.３ｍｍ、このライトゲージ３を２本背合わせにしたもの）の間隔を二尺とし、スタッド４（寸法幅Ａ１００ｍｍ×高さＢ４５ｍｍ×ｔ０.８ｍｍ）１本を、複数の一対のライトゲージ３Ｗの中間に立設した場合、高さ１１.５ｍの間仕切りを施工することができる。
【００４０】
本発明の第３態様、第４態様において、ライトゲージ３の厚さを厚くすることで、この高さ以上の間仕切りを施工することができる。本発明の第３態様、第４態様では、複数の一対のライトゲージ３Ｗ（ライトゲージ３：寸法幅Ａ１００ｍｍ×高さＢ５０ｍｍ×ｔ３.２ｍｍ、このライトゲージ３を２本背合わせにしたもの）の間隔を一尺とした場合、高さ１１.９８ｍの間仕切りを施工することができる。また、本発明の第４態様では、複数の一対のライトゲージ３Ｗ（ライトゲージ３：寸法幅Ａ１００ｍｍ×高さＢ５０ｍｍ×ｔ３.２ｍｍ、このライトゲージ３を２本背合わせにしたもの）の間隔を二尺とし、スタッド４（寸法幅Ａ１００ｍｍ×高さＢ４５ｍｍ×ｔ０.８ｍｍ）１本を、複数の一対のライトゲージ３Ｗの中間に立設した場合、高さ１１.９８ｍの間仕切りを施工することができる。
【００４１】
さらには、本発明の第３態様、第４態様において、複数のライトゲージ３が隣り合う場合の複数のライトゲージ３の間隔、ライトゲージ３と一対のライトゲージ３Ｗが隣り合う場合のライトゲージ３と一対のライトゲージ３Ｗとの間隔、複数の一対のライトゲージ３Ｗが隣り合う場合の複数の一対のライトゲージ３Ｗの間隔は、（一尺−３０ｍｍ）以上（九尺＋３０ｍｍ）以下であり、かつ（半尺−３０ｍｍ）以上（半尺＋３０ｍｍ）以下の値の整数倍の値であることがより好ましい。なお、前記隣り合うとは、スタッド４を除いての隣り合うという意味である。これは、壁材の規格寸法に対応するためである。
さらには、本発明の第３態様においては、スタッドが無いので、複数のライトゲージ３が隣り合う場合の複数のライトゲージ３の間隔、ライトゲージ３と一対のライトゲージ３Ｗが隣り合う場合のライトゲージ３と一対のライトゲージ３Ｗとの間隔、複数の一対のライトゲージ３Ｗが隣り合う場合の複数の一対のライトゲージ３Ｗの間隔は、（一尺−３０ｍｍ）以上（二尺＋３０ｍｍ）以下であることが好ましく、より好ましくは（一尺−３０ｍｍ）以上（一尺＋３０ｍｍ）以下である。さらに、複数のライトゲージ３が隣り合う場合の複数のライトゲージ３の間隔、ライトゲージ３と一対のライトゲージ３Ｗが隣り合う場合のライトゲージ３と一対のライトゲージ３Ｗとの間隔、複数の一対のライトゲージ３Ｗが隣り合う場合の複数の一対のライトゲージ３Ｗの間隔は、（一尺−３０ｍｍ）以上（二尺＋３０ｍｍ）以下であり、かつ（半尺−３０ｍｍ）以上（半尺＋３０ｍｍ）以下の値の整数倍の値であることがより好ましい。
【００４２】
本発明の第２態様および第４態様において、ライトゲージ３や一対のライトゲージ３Ｗの間にある複数のスタッド４の間隔は、特に限定されるものではないが、（一尺−３０ｍｍ）以上（二尺＋３０ｍｍ）以下であることが好ましく、より好ましくは（一尺−３０ｍｍ）以上（二尺＋３０ｍｍ）以下であり、かつ（半尺−３０ｍｍ）以上（半尺＋３０ｍｍ）以下の値の整数倍の値であることが好ましい。これは、壁材の規格寸法に対応するためである。なお、複数のスタッド４の間隔とは、スタッド４のフランジ部の中心から隣り合うスタッド４のフランジ部の中心までの距離である。
また、ライトゲージ３や一対のライトゲージとスタッド４との間隔は、特に限定されるものではないが、（一尺−３０ｍｍ）以上（二尺＋３０ｍｍ）以下であることが好ましく、より好ましくは（一尺−３０ｍｍ）以上（二尺＋３０ｍｍ）以下であり、かつ（半尺−３０ｍｍ）以上（半尺＋３０ｍｍ）以下の値の整数倍の値であることが好ましい。これは、壁材の規格寸法に対応するためである。なお、ライトゲージ３とスタッド４との間隔とは、ライトゲージ３のフランジ部の中心から隣り合うスタッド４のフランジ部の中心までの距離である。一対のライトゲージ３Ｗとスタッド４との間隔とは、一対のライトゲージ３Ｗの背合わせ面（当接面）３Ｗｔから隣り合うスタッド４のフランジ部の中心までの距離である。
【００４３】
本発明の第１態様および第３態様において、ライトゲージ３のウェブ部（Ｃ型鋼における開放面の反対側面）には、少なくともウェブ部と２つのフランジ部を有している長尺部材の形鋼である複数の振れ止め５を貫通するように挿入させることができる複数の貫通孔（ライトゲージ３の貫通孔３Ｋ）が、高さ方向に所定の間隔で設けられている（図３参照。なお、図３における貫通孔３Ｋの形状は、一例であって、本発明において特にこの形状に限定されるものではない。）。
この高さ方向の所定の間隔は、特に限定されるものではなく、３００ｍｍ以上１,８００ｍｍ以下であることが好ましく、より好ましくは、９００ｍｍ以上１,３００ｍｍ以下である。なお、図１においては、１,２００ｍｍである。
【００４４】
本発明の第２態様および第４態様において、ライトゲージ３のウェブ部（Ｃ型鋼における開放面の反対側面）とスタッド４のウェブ部には、少なくともウェブ部と２つのフランジ部を有している長尺部材の形鋼である複数の振れ止め５を貫通するように挿入させることができる複数の貫通孔（ライトゲージ３の貫通孔３Ｋ、スタッド４の貫通孔４Ｋ）が、高さ方向に所定の間隔で設けられている（図３，図４参照。なお、図３，図４における貫通孔３Ｋ、貫通孔４Ｋの形状は、一例であって、本発明において特にこの形状に限定されるものではない。）。
この高さ方向の所定の間隔は、特に限定されるものではなく、３００ｍｍ以上１,８００ｍｍ以下であることが好ましく、より好ましくは、９００ｍｍ以上１,３００ｍｍ以下である。なお、図１においては、１,２００ｍｍである。
【００４５】
本発明の第１態様、第２態様、第３態様および第４態様において、前記振れ止め５は、少なくともウェブ部と該ウェブ部に略垂直をなす２つのフランジ部を有している長尺部材の形鋼である。このような形鋼としては、ウェブ部と２つのフランジ部を有し、略コの字形状の断面を呈している長尺部材の形鋼、長尺部材のＣ型鋼、２つのウェブ部と２つのフランジ部を有し、中空略四角形の断面を有する長尺部材の形鋼が例示される（図２６参照）。なお、図２６の概略断面図は、単にフランジ部、ウェブ部、リップ部の位置を相対的に示しただけの図であり、各形鋼の形状がこれに限定されるものではない。
振れ止め５は、日本工業規格ＪＩＳＡ６５１７（２０１０）に規定されている振れ止め（記号ＷＢ−１９，ＷＢ−２５）を使用することが好ましい。但し、日本工業規格ＪＩＳＡ６５１７（２０１０）における長さ（Ｌ）の規定を除くものとする。
振れ止め５がウェブ部と２つのフランジ部を有し、略コの字形状の断面を呈している長尺部材の形鋼の場合の寸法は、幅Ａ（ウェブ部の外寸Ａ）１７.５ｍｍ以上２６.５ｍｍ以下、高さＢ（フランジ部の外寸Ｂ）８.５ｍｍ以上１１.５ｍｍ以下、板厚ｔ１.０５ｍｍ以上１.３５ｍｍ以下であることが好ましい。
振れ止め５が長尺部材のＣ型鋼の場合の寸法は、幅Ａ（ウェブ部の外寸Ａ）１７.５ｍｍ以上２６.５以下、高さＢ（フランジ部の外寸Ｂ）８.５ｍｍ以上１１.５ｍｍ以下、板厚ｔ１.０５ｍｍ以上１.３５以下、リップ部の長さｃ（リップ部の外寸ｃ）７ｍｍ以上１０ｍｍ以下であることが好ましい。
振れ止め５が２つのウェブ部と２つのフランジ部を有し、中空略四角形の断面を有する長尺部材の形鋼の場合の寸法は、幅Ａ（ウェブ部の外寸Ａ）１７.５ｍｍ以上２６.５以下、高さＢ（フランジ部の外寸Ｂ）８.５ｍｍ以上１１.５ｍｍ以下、板厚ｔ１.０５ｍｍ以上１.３５ｍｍ以下であることが好ましい。
【００４６】
本発明の第１態様および第３態様において、ライトゲージ３の貫通孔３Ｋは、前記振れ止め５が挿入可能な挿入部３Ｋｓを有している。振れ止め５は、ライトゲージ３の貫通孔に貫通するように挿入される（図１、図３，図２０，図２１参照）。ライトゲージ３の貫通孔は、振れ止めを嵌合する嵌合溝を有している。
【００４７】
本発明の第２態様および第４態様において、ライトゲージ３の貫通孔３Ｋとスタッド４の貫通孔４Ｋは、前記振れ止め５が挿入可能な挿入部（それぞれ３Ｋｓ、４Ｋｓ）を有している。振れ止め５は、ライトゲージ３の貫通孔と、ライトゲージ３の貫通孔３Ｋと同じ高さのスタッド４の貫通孔４Ｋとに貫通するように挿入される（図１、図３，図４，図２０〜図２３参照）。ライトゲージ３の貫通孔およびスタッド４の貫通孔は、振れ止めを嵌合する嵌合溝を有している。
【００４８】
本発明の第１態様、第２態様、第３態様および第４態様において、前記振れ止め５が、ウェブ部と２つのフランジ部を有し、略コの字形状の断面を呈している長尺部材の形鋼の場合、ライトゲージ３の貫通孔３Ｋは、略コの字の開放面を下に向けた振れ止め５の左右のフランジ部が嵌合する左右一対の嵌合溝３Ｋｍを有していることが好ましい。ライトゲージ３の各貫通孔３Ｋにおいて、左右一対の嵌合溝３Ｋｍの内側縁と、略コの字の開放面を下に向けた振れ止め５の左右のフランジ部の内側面とが当接して、嵌合溝３Ｋｍに、振れ止め５の左右のフランジ部が嵌合されていることが好ましい。（図２０参照。図２０における貫通孔３Ｋの形状は、一例であって、本発明において特にこの形状に限定されるものではない。）。
【００４９】
本発明の第１態様、第２態様、第３態様および第４態様において、前記振れ止め５が、長尺部材のＣ型鋼、ウェブ部と２つのフランジ部を有し、略コの字形状の断面を呈している長尺部材の形鋼、２つのウェブ部と２つのフランジ部を有し、中空略四角形の断面を有する長尺部材の形鋼の場合、ライトゲージ３の貫通孔３Ｋは、前記振れ止め５の左右のフランジ部が嵌合する一つの嵌合溝３Ｋｔを有していることが好ましい。ライトゲージ３の各貫通孔３Ｋにおいて、一つの嵌合溝３Ｋｔの左右の外側縁と、前記振れ止め５の左右のフランジ部の外側面とが当接して、嵌合溝３Ｋｔに、振れ止め５の左右のフランジ部が嵌合されていることが好ましい。
なお前記振れ止め５が、長尺部材のＣ型鋼、ウェブ部と２つのフランジ部を有し、略コの字形状の断面を呈している長尺部材の形鋼の場合、Ｃ型鋼の開放面を下に向けた状態、略コの字の開放面を下に向けた状態で、前記振れ止め５は、嵌合溝３Ｋｔと嵌合をする（図２１参照。図２１における貫通孔３Ｋの形状は、一例であって、本発明において特にこの形状に限定されるものではない。）。
【００５０】
本発明の第２態様および第４態様において、前記振れ止め５が、ウェブ部と２つのフランジ部を有し、略コの字形状の断面を呈している長尺部材の形鋼の場合、スタッド４の貫通孔４Ｋは、略コの字の開放面を下に向けた振れ止め５の左右のフランジ部が嵌合する左右一対の嵌合溝４Ｋｍを有していることが好ましい。スタッド４の各貫通孔４Ｋにおいて、左右一対の嵌合溝４Ｋｍの内側縁と、略コの字の開放面を下に向けた振れ止め５の左右のフランジ部の内側面とが当接して、嵌合溝４Ｋｍに、振れ止め５の左右のフランジ部が嵌合されていることが好ましい（図２２参照。図２２における貫通孔４Ｋの形状は、一例であって、本発明において特にこの形状に限定されるものではない。）。
【００５１】
本発明の第２態様および第４態様において、前記振れ止め５が、長尺部材のＣ型鋼、ウェブ部と２つのフランジ部を有し、略コの字形状の断面を呈している長尺部材の形鋼、２つのウェブ部と２つのフランジ部を有し、中空略四角形の断面を有する長尺部材の形鋼の場合、スタッド４の貫通孔４Ｋは、前記振れ止め５の左右のフランジ部が嵌合する一つの嵌合溝４Ｋｔを有していることが好ましい。スタッド４の各貫通孔４Ｋにおいて、一つの嵌合溝４Ｋｔの左右の外側縁と、前記振れ止め５の左右のフランジ部の外側面とが当接して、嵌合溝４Ｋｔに、振れ止め５の左右のフランジ部が嵌合されていることが好ましい。
なお前記振れ止め５が、長尺部材のＣ型鋼、ウェブ部と２つのフランジ部を有し、略コの字形状の断面を呈している長尺部材の形鋼の場合、Ｃ型鋼の開放面を下に向けた状態、略コの字の開放面を下に向けた状態で、前記振れ止め５は、嵌合溝４Ｋｔと嵌合をする（図２３参照。図２３における貫通孔４Ｋの形状は、一例であって、本発明において特にこの形状に限定されるものではない。）。
【００５２】
本発明の第１態様、第２態様、第３態様および第４態様において、ライトゲージ３の上部は、固定金具で、天井ランナー１を介して天井に固定されている。また、ライトゲージ３下部は、床ランナー２を介して床に固定されている。第３態様および第４態様においては、一対のライトゲージを構成するそれぞれのライトゲージ３の上部、下部はそれぞれ、固定金具で、天井ランナー１、床ランナー２を介して天井、床に固定されていることが好ましい。固定金具は、少なくともウェブ部と該ウェブ部に略垂直をなすフランジ部を有していることが好ましく、Ｌ型アングル、ライトゲージ取付金具６が例示される。
【００５３】
本発明の第１態様、第２態様、第３態様および第４態様において、固定金具がＬ型アングルの場合、ウェブ部とフランジ部にそれぞれ穴が設けられており、Ｌ型アングルのウェブ部が天井ランナー１や床ランナー２を介して天井や床に当接して、Ｌ型アングルのフランジ部がライトゲージ３のウェブ部（Ｃ型鋼における開放面の反対側面）に当接して、それぞれビス、ピン、鋲、ネジもしくはボルト等で固定されて、ライトゲージ３が天井ランナー１や床ランナー２を介して天井や床に固定される。
【００５４】
次に、本発明の第１態様、第２態様、第３態様および第４態様における、ライトゲージ取付金具６による固定状態を説明する。
このライトゲージ取付金具６は、ウェブ部９と、ウェブ部９と略垂直をなすフランジ部１０とからなり、フランジ部１０は、左右にそれぞれに、少なくとも二股（図５〜図７においては二股）に分岐している挟着片（１０Ｌ，１０Ｒ）を有している（図５〜図７参照）。この少なくとも二股とは、三股でも良いし、四股，五股でもよい。三股のライトゲージ取付金具６を図８〜図１０に示す。
【００５５】
フランジ部１０の縦方向の外寸は、ライトゲージ３の左右のリップ部（３Ｌ、３Ｒ）の間の距離以下であることが好ましい。これは、ライトゲージ取付金具６のライトゲージ３への挟着の作業で、ライトゲージ取付金具６を９０度倒してからライトゲージ３の左右のリップ部間に挿入して、先と逆方向に９０度回転させて挟着させることができるからである。
ウェブ部９の横（左右）方向の外寸は、天井ランナー１、床ランナー１の各左右のフランジ部間の距離以下であれば良い。
【００５６】
左側の挟着片（１０Ｌ）は少なくとも二股に分岐しており、少なくとも２つの分岐片（１０Ｌｕ，１０Ｌｓ）を有しており、右側の挟着片（１０Ｒ）は少なくとも二股に分岐しており、少なくとも２つの分岐片（１０Ｒｕ，１０Ｒｓ）を有している。この左右の挟着片（１０Ｌ，１０Ｒ）それぞれで、少なくとも二股に分かれた挟着片（１０Ｌ，１０Ｒ）の少なくとも一つの分岐片（１０Ｌｓ，１０Ｒｕ）が、ライトゲージ３のリップ部（３Ｌ，３Ｒ）の外側面に当接し、他の分岐片（１０Ｌｕ，１０Ｒｓ）が、ライトゲージ３のリップ部（３Ｌ，３Ｒ）の内側面に当接して、ライトゲージ取付金具６が、ライトゲージ３に挟着されている（図１１〜図１３参照）。
【００５７】
なお、前記少なくとも一つの分岐片（１０Ｌｓ，１０Ｒｕ）におけるライトゲージ３のリップ部（３Ｌ，３Ｒ）の外側面に当接する部分と、前記他の分岐片（１０Ｌｕ，１０Ｒｓ）におけるライトゲージ３のリップ部（３Ｌ，３Ｒ）の内側面に当接する位置との間の、該ライトゲージ取付金具６のフランジ部面に対して垂直な方向の距離は、ライトゲージ３のリップ部の板厚以下であることが好ましい。
なお、前記少なくとも一つの分岐片（１０Ｌｓ，１０Ｒｕ）の縦方向の外寸は、１０ｍｍ以上３５ｍｍ以下であることが好ましい。より好ましくは、二股のライトゲージ取付金具６の場合で、２０ｍｍ以上３０ｍｍ以下であり、三股のライトゲージ取付金具６の場合で、１０ｍｍ以上３０ｍｍ以下である。
前記少なくとも一つの分岐片（１０Ｌｓ，１０Ｒｕ）と、ライトゲージ３のリップ部（３Ｌ，３Ｒ）の外側面との重なり部分の横（左右）方向の長さは、８ｍｍ以上２５ｍｍ以下であることが好ましく、より好ましくは１０ｍｍ以上２０ｍｍ以下である。他の分岐片（１０Ｌｕ，１０Ｒｓ）が、ライトゲージ３のリップ部（３Ｌ，３Ｒ）の内側面との重なり部分の横（左右）方向の長さは、８ｍｍ以上２５ｍｍ以下であることが好ましく、より好ましくは１０ｍｍ以上２０ｍｍ以下である。
なお、ライトゲージ取付金具６が三股の場合、前記少なくとも一つの分岐片は、図８〜図１０において１０Ｌｍ，１０Ｒｕ，１０Ｒｓとなり、前記他の分岐片は、図８〜図１０において１０Ｌｕ，１０Ｌｓ，１０Ｒｍとなる。
【００５８】
そして、ライトゲージ取付金具６のウェブ部９の穴９ｋに、ピン、鋲、ネジ、ビスもしくはボルト１１等が挿入されて、ライトゲージ取付金具６が天井もしくは床に、それぞれ天井ランナー１、床ランナー２を介して固定されて、ライトゲージ３が、天井もしくは床に、それぞれ天井ランナー１、床ランナー２を介して固定されている。
【００５９】
本発明の第１態様および第３態様において、ライトゲージ３の左右のフランジ部の外側面は、天井ランナー１および床ランナー２における左右のフランジ部の内側面と当接していることが好ましい。この構成とすることにより、ライトゲージ３の立設安定性を確保できる。
また、天井ランナー１および床ランナー２は、それぞれ、ライトゲージ３が立設されていない状態で、２つのフランジ部が、ウェブ部近傍からフランジ部先端にかけて内側にすぼんでいることが好ましい。この場合の２つのフランジ部間の距離は、天井ランナー１および床ランナー２のウェブ部近傍において、ライトゲージ３のウェブ部の外寸と等しくもしくはやや大きく、天井ランナー１および床ランナー２のフランジ部の先端においてライトゲージ３のウェブ部の外寸よりやや小さい。この構成とすることにより、ライトゲージ３の立設安定性をより確保できる。
【００６０】
本発明の第２態様および第４態様において、ライトゲージ３の左右のフランジ部の外側面は、天井ランナー１および床ランナー２における左右のフランジ部の内側面と当接していることが好ましい。この構成とすることにより、ライトゲージ３の立設安定性を確保できる。
スタッド４の左右のフランジ部の外側面は、天井ランナー１および床ランナー２における左右のフランジ部の内側面と当接していることが好ましい。この場合、スタッド４のウェブ部の外寸は、ライトゲージ３のウェブ部の外寸と同じ寸法である。この構成とすることにより、スタッド４の立設安定性を確保できる。
また、天井ランナー１および床ランナー２は、それぞれ、ライトゲージ３やスタッド４が立設されていない状態で、２つのフランジ部が、ウェブ部近傍からフランジ部先端にかけて内側にすぼんでいることが好ましい。この場合の２つのフランジ部間の距離は、天井ランナー１および床ランナー２のウェブ部近傍において、ライトゲージ３やスタッド４のウェブ部の外寸と等しくもしくはやや大きく、天井ランナー１および床ランナー２のフランジ部の先端においてライトゲージ３やスタッド４のウェブ部の外寸よりやや小さい。この構成とすることにより、ライトゲージ３やスタッド４の立設安定性をより確保できる。
なお、スタッド４の上部は、天井ランナー１を介して天井に金具等で固定されていなくても良いが、金具等で固定されていても良い。また、スタッド４の下部は、ランナー２を介して床に金具等で固定されていなくても良いが、金具等で固定されていても良い。
【００６１】
以上の通り、ライトゲージ取付金具６により、ライトゲージ３の固定を容易に施工でき、かつ十分な固定強度を確保できる。
【００６２】
本発明の第１態様、第２態様、第３態様および第４態様において、ライトゲージ３と前記振れ止め５との各交差部で、接合金具で、振れ止め５はライトゲージ３に接合されている。第３態様および第４態様においては、接合金具で、振れ止め５は一対のライトゲージ３Ｗを構成するそれぞれのライトゲージ３に接合されていることが好ましい。接合金具は、少なくともウェブ部と該ウェブ部に略垂直をなすフランジ部を有していることが好ましく、Ｌ型アングル、振れ止め押え金具７が例示される。
【００６３】
本発明の第１態様、第２態様、第３態様および第４態様において、接合金具がＬ型アングルの場合、ウェブ部とフランジ部にそれぞれ穴が設けられており、Ｌ型アングルのウェブ部が振れ止め５のウェブ部に当接して、Ｌ型アングルフランジ部がライトゲージ３のウェブ部（Ｃ型鋼における開放面の逆側面）に当接して、それぞれビス、ピン、鋲、ネジもしくはボルト等で固定されて、振れ止め５はライトゲージ３に接合される。
【００６４】
次に、本発明の第１態様、第２態様、第３態様および第４態様における、振れ止め押え金具７による接合状態を説明する。
この振れ止め押え金具７は、ウェブ部１２と、該ウェブ部の左右それぞれから延出して該ウェブ部とともに断面略コの字状を形成する押え片１３と、該ウェブ部と略垂直をなすフランジ部１４とからなり、該フランジ部１４は左右にそれぞれに、少なくとも二股（１４〜図１６においては二股）に分岐している挟着片（１４Ｌ，１４Ｒ）を有している（図１４〜図１６参照）。この少なくとも二股とは、三股でも良いし、四股，五股でもよい。三股の振れ止め押え金具７を図１７〜図１９に示す。
【００６５】
フランジ部１４の縦方向の外寸は、ライトゲージ３の左右のリップ部（３Ｌ、３Ｒ）の間の距離以下であることが好ましい。これは、振れ止め押え金具７のライトゲージ３への挟着の作業で、振れ止め押え金具７を９０度倒してからライトゲージ３の左右のリップ部間に挿入して、先と逆方向に９０度回転させて挟着させることができるからである。
【００６６】
左側の挟着片（１４Ｌ）は少なくとも二股に分岐しており、少なくとも２つの分岐片（１４Ｌｕ，１４Ｌｓ）を有しており、右側の挟着片（１４Ｒ）は少なくとも二股に分岐しており、少なくとも２つの分岐片（１４Ｒｕ，１４Ｒｓ）を有している。前記左右の挟着片（１４Ｌ，１４Ｒ）それぞれで、少なくとも二股に分かれた挟着片（１４Ｌ，１４Ｒ）の少なくとも一つの分岐片（１４Ｌｓ，１４Ｒｕ）が、ライトゲージ３のリップ部（３Ｌ，３Ｒ）の外側面に当接し、他の分岐片（１４Ｌｕ，１４Ｒｓ）がリップ部（３Ｌ，３Ｒ）の内側面に当接して、振れ止め押え金具７が、ライトゲージ３に挟着される（図２４，図２５参照）。
【００６７】
なお、前記少なくとも一つの分岐片（１４Ｌｓ，１４Ｒｕ）におけるライトゲージ３のリップ部（３Ｌ，３Ｒ）の外側面に当接する部分と、前記他の分岐片（１４Ｌｕ，１４Ｒｓ）におけるライトゲージ３のリップ部（３Ｌ，３Ｒ）の内側面に当接する位置との間の、該振れ止め押え金具７のフランジ部面に対して垂直な方向の距離は、ライトゲージ３のリップ部の板厚以下であることが好ましい。
なお、前記少なくとも一つの分岐片（１４Ｌｓ，１４Ｒｕ）の縦方向の外寸は、１０ｍｍ以上３５ｍｍ以下であることが好ましい。より好ましくは、二股の振れ止め押え金具７の場合で、２０ｍｍ以上３０ｍｍ以下であり、三股の振れ止め押え金具７の場合で、１０ｍｍ以上３０ｍｍ以下である。
前記少なくとも一つの分岐片（１４Ｌｓ，１４Ｒｕ）と、ライトゲージ３のリップ部（３Ｌ，３Ｒ）の外側面との重なり部分の横（左右）方向の長さは、８ｍｍ以上２５ｍｍ以下であることが好ましく、より好ましくは１０ｍｍ以上２０ｍｍ以下である。他の分岐片（１４Ｌｕ，１４Ｒｓ）が、ライトゲージ３のリップ部（３Ｌ，３Ｒ）の内側面との重なり部分の横（左右）方向の長さは、８ｍｍ以上２５ｍｍ以下であることが好ましく、より好ましくは１０ｍｍ以上２０ｍｍ以下である。
なお、振れ止め押え金具７が三股の場合、前記少なくとも一つの分岐片は、図１７〜図１９において１４Ｌｍ，１４Ｒｕ，１４Ｒｓとなり、前記他の分岐片は、図１７〜図１９において１４Ｌｕ，１４Ｌｓ，１４Ｒｍとなる。
【００６８】
振れ止め押え金具７のウェブ部１２が振れ止め５のウェブ部の上面に当接し、左右の押え片（１３Ｌ，１３Ｒ）がそれぞれ振れ止め５の左右のフランジ部外側面に当接して、振れ止め５が押さえられて、振れ止め５がライトゲージ３，３に嵌合されている。
左右の押え片（１３Ｌ，１３Ｒ）間の距離は、左右の押え片（１３Ｌ，１３Ｒ）がそれぞれ振れ止め５の左右のフランジ部外側面に当接する長さであることが好ましい。この構成とすることにより、振れ止め５を強固に押さえることができる。なお、振れ止め押え金具７の押え片やウェブ部にスリットや穴が設けられており、ビス、ボルト、ピン、鋲もしくはネジ等が挿入されて、振れ止め押え金具７と振れ止め５とが固定されていてもよい。振れ止め５についても、振れ止め押え金具７の振れ止め押え金具７のスリットや穴の位置と対応する位置にスリットや穴が設けられていることが好ましい。
【００６９】
なお、左右一対である押え片１３は、振れ止め５を押さえていない状態で、ウェブ部１２近傍から先端にかけて内側にすぼんでいることが好ましい。この場合の左右の押え片（１３Ｌ，１３Ｒ）間の距離は、ウェブ部１２近傍で振れ止め５のウェブ部の外寸と等しくもしくはやや大きく、左右の押え片（１３Ｌ，１３Ｒ）の先端で振れ止め５のウェブ部の外寸よりやや小さい。この構成とすることにより、振れ止め５をより強固に押さえることができる。
さらには左右の押え片１３は、振れ止め５を押さえていない状態で、ウェブ部１２近傍から先端にかけて内側にすぼんでいて、先端付近で外側に反っていることがより好ましい（図１４，図１７参照）。この場合の前記左右の押え片（１３Ｌ，１３Ｒ）間の距離は、ウェブ部１２近傍で振れ止め５のウェブ部の外寸と等しくもしくはやや大きく、一番すぼんでいるところで、振れ止め５のウェブ部の外寸よりやや小さく、先端で振れ止め５のウェブ部の外寸より大きい。この構成とすることにより、振れ止め５を、容易に、かつ、より強固に押さえることができる。
【００７０】
また、左右一対である押え片１３は、左右の押え片（１３Ｌ，１３Ｒ）のそれぞれの内側面に、振れ止め５に上から押え片１３に嵌めこんだ際に、振れ止め５の左右のフランジ部の下端縁に引っかかることが可能な突起を有していることが好ましい。
以上の通り、振れ止め押え金具７により、ライトゲージ３と振れ止め５の接合を容易に施工でき、かつ十分な接合強度を確保できる。
なお、本発明の第２態様において、スタッド４と前記振れ止め５との各交差部で、各振れ止め５を各スタッド４に嵌合するためのスペーサが設置されていなくてよいが、設置されていてもよい。
【００７１】
本発明の第１態様、第２態様、第３態様および第４態様の鋼製下地による耐震間仕切り構造における鋼製下地は、以上の通りの構成であり、全体として極めて剛性の高い鋼製下地となる。
【００７２】
本発明の第１態様および第３態様において、ライトゲージ３の側面に、壁材８を貼設して、耐震間仕切り構造となる。壁材８は、ライトゲージ３に鉄骨ビス等でビス止めすることが好ましい。壁材の厚さは特に限定されないが、５ｍｍ〜２５ｍｍであることが好ましく、より好ましくは７ｍｍ〜１５ｍｍである。２層貼りとしてもよい。
壁材８は、ライトゲージ３の片側面でもよいが、両側面に貼設されることが好ましい。壁材８としては、石膏ボード、プラスターボードが例示される。
本発明の第１態様の鋼製下地による耐震間仕切り構造は、振れ止めが、ライトゲージとに嵌合しつつ貫通しているので、強度が強い複数のライトゲージ３と壁材が一体化して壁全体での剛性を確保することができる。
【００７３】
本発明の第２態様および第４態様において、ライトゲージ３またはスタッド４の側面に、壁材８を貼設して、耐震間仕切り構造となる（図２参照）。壁材の厚さは特に限定されないが、５ｍｍ〜２５ｍｍであることが好ましく、より好ましくは７ｍｍ〜１５ｍｍである。２層貼りとしてもよい。
壁材８（８ａ，８ｂ）は、スタッド４だけにビス止めされていることが施工のしやすさの点で好ましいが、ライトゲージ３にもビス止めしてもよい。図２では、壁材８（８ａ，８ｂ）をスタッド４にボードビスでビス止めしている一方、ライトゲージ３にはビス止めしていない。また、スタッド４にはビス止めしないで、ライトゲージ３だけにビス止めしてもよい。
壁材８は、ライトゲージ３およびスタッド４の片側面でもよいが、両側面に貼設されることが好ましい。壁材８としては、石膏ボード、プラスターボードが例示される。
本発明の第２態様の鋼製下地による耐震間仕切り構造は、振れ止めが、スタッドとライトゲージとにそれぞれ嵌合しつつ貫通しているので、強度が強い複数のライトゲージ３とスタッド４と壁材が一体化して壁全体での剛性を確保することができる。
【００７４】
本発明のライトゲージ取付金具は、
厚肉のC型鋼であるライトゲージを、ランナーを介して天井もしくは床に固定するための固定金具であって、
ウェブ部と、該ウェブ部と略垂直をなすフランジ部とからなり、該フランジ部は左右にそれぞれに、少なくとも二股に分岐している挟着片を有しており、
左右の挟着片それぞれについて、前記少なくとも二股に分かれた挟着片の少なくとも一つの分岐片が前記ライトゲージのリップ部の外側面に当接し、他の分岐片が前記リップ部の内側面に当接して、前記ライトゲージに挟着されるものであって、
該固定金具のウェブ部に設けられた穴に、ピン、鋲、ネジもしくはボルトが挿入されて、天井もしくは床にそれぞれ天井ランナー、床ランナーを介して固定されるものであることを特徴とする。
なお、本発明のライトゲージ取付金具において、天井には、天井面の意味を含み、床には、床面の意味を含むものである。
【００７５】
以下本発明のライトゲージ取付金具の好ましい実施の形態を、図５〜図１３に基づいて説明する。図５は、本発明におけるライトゲージ取付金具の正面図である。図６は、本発明におけるライトゲージ取付金具の右側側面図である。図７は、本発明におけるライトゲージ取付金具の平面図である。図８は、本発明におけるライトゲージ取付金具の正面図である。図９は、本発明におけるライトゲージ取付金具の右側側面図である。図１０は、本発明におけるライトゲージ取付金具の平面図である。図１１は、本発明におけるライトゲージ取付金具をライトゲージに挟着し、天井に固定した状態を示す該略図である。図１２は、本発明におけるライトゲージ取付金具をライトゲージに挟着し、床に固定した状態を示す該略図である。図１３は、図１２のＸ−Ｘ’線断面図である。
【００７６】
ライトゲージ取付金具６は、ウェブ部９と、ウェブ部９と略垂直をなすフランジ部１０とからなり、フランジ部１０は、左右にそれぞれに、少なくとも二股（図５〜図７においては二股）に分岐している挟着片（１０Ｌ，１０Ｒ）を有している（図５〜図７参照）。この少なくとも二股とは、三股でも良いし、四股，五股でもよい。三股のライトゲージ取付金具６を図８〜図１０に示す。
【００７７】
フランジ部１０の縦方向の外寸は、ライトゲージ３の左右のリップ部（３Ｌ、３Ｒ）の間の距離以下であることが好ましい。これは、ライトゲージ取付金具６のライトゲージ３への挟着の作業で、振れ止め押え金具７を９０度倒してからライトゲージ３の左右のリップ部間に挿入して、先と逆方向に９０度回転させて挟着させることができるからである。
ウェブ部９の横（左右）方向の外寸は、天井ランナー１、床ランナー１の各左右のフランジ部間の距離以下であれば良い。
【００７８】
左側の挟着片（１０Ｌ）は少なくとも二股に分岐しており、少なくとも２つの分岐片（１０Ｌｕ，１０Ｌｓ）を有しており、右側の挟着片（１０Ｒ）は少なくとも二股に分岐しており、少なくとも２つの分岐片（１０Ｒｕ，１０Ｒｓ）を有している。前記左右の挟着片（１０Ｌ，１０Ｒ）それぞれで、少なくとも二股に分かれた挟着片（１０Ｌ，１０Ｒ）の少なくとも一つの分岐片（１０Ｌｓ，１０Ｒｕ）が、本発明の鋼製下地による耐震間仕切り構造におけるライトゲージ３のリップ部（３Ｌ，３Ｒ）の外側面に当接し、他の分岐片（１０Ｌｕ，１０Ｒｓ）が、リップ部（３Ｌ，３Ｒ）の内側面に当接して、ライトゲージ取付金具６が、ライトゲージ３に挟着される。ライトゲージ取付金具６は、ウェブ部９の穴９ｋを有しており、該穴９ｋにピン、鋲、ネジ、ビスもしくはボルト１１が挿入されて、天井もしくは床に天井ランナー１、床ランナー２を介して固定されるものであり、ライトゲージ３が、天井もしくは床に、それぞれ天井ランナー１、床ランナー２を介して固定することが可能である（図１１〜図１３参照）。
以上の通り、ライトゲージ取付金具６により、ライトゲージ３の固定を容易に施工でき、かつ十分な固定強度を確保できる。
【００７９】
なお、前記少なくとも一つの分岐片（１０Ｌｓ，１０Ｒｕ）におけるライトゲージ３のリップ部（３Ｌ，３Ｒ）の外側面に当接する部分と、前記他の分岐片（１０Ｌｕ，１０Ｒｓ）におけるライトゲージ３のリップ部（３Ｌ，３Ｒ）の内側面に当接する位置との間の、該ライトゲージ取付金具６のフランジ部面に対して垂直な方向の距離は、ライトゲージ３のリップ部の板厚以下であることが好ましい。
なお、前記少なくとも一つの分岐片（１０Ｌｓ，１０Ｒｕ）の縦方向の外寸は、１０ｍｍ以上３５ｍｍ以下であることが好ましい。より好ましくは、二股のライトゲージ取付金具６の場合で、２０ｍｍ以上３０ｍｍ以下であり、三股のライトゲージ取付金具６の場合で、１０ｍｍ以上３０ｍｍ以下である。
前記少なくとも一つの分岐片（１０Ｌｓ，１０Ｒｕ）と、ライトゲージ３のリップ部（３Ｌ，３Ｒ）の外側面との重なり部分の横（左右）方向の長さは、８ｍｍ以上２５ｍｍ以下であることが好ましく、より好ましくは１０ｍｍ以上２０ｍｍ以下である。他の分岐片（１０Ｌｕ，１０Ｒｓ）が、ライトゲージ３のリップ部（３Ｌ，３Ｒ）の内側面との重なり部分の横（左右）方向の長さは、８ｍｍ以上２５ｍｍ以下であることが好ましく、より好ましくは１０ｍｍ以上２０ｍｍ以下である。
なお、ライトゲージ取付金具６が三股の場合、前記少なくとも一つの分岐片は、図８〜図１０において１０Ｌｍ，１０Ｒｕ，１０Ｒｓとなり、前記他の分岐片は、図８〜図１０において１０Ｌｕ，１０Ｌｓ，１０Ｒｍとなる。
【００８０】
本発明の振れ止め押え金具は、
厚肉のC型鋼であるライトゲージと振れ止めを接合するための接合金具であって、
ウェブ部と、該ウェブ部の左右それぞれから延出して該ウェブ部とともに断面略コの字状を形成する押え片と、該ウェブ部と略垂直をなすフランジ部とからなり、該フランジ部は左右にそれぞれに、少なくとも二股に分岐している挟着片を有しており、
左右の挟着片それぞれについて、前記少なくとも二股に分かれた挟着片の少なくとも一つの分岐片が前記ライトゲージのリップ部の外側面に当接し、他の分岐片が前記リップ部の内側面に当接して、前記ライトゲージに挟着されるものであって、
該接合金具のウェブ部が振れ止めのウェブ部上面に当接し、左右の押え片がそれぞれ振れ止めの左右のフランジ部外側面に当接して、振れ止めを押さえるものであることを特徴とする。
【００８１】
以下本発明の振れ止め押え金具の好ましい実施の形態を、図１４〜図１９，図２４，図２５に基づいて説明する。図１４は、本発明における振れ止め押え金具の正面図である。図１５は、本発明における振れ止め押え金具の右側側面図である。図１６は、本発明における振れ止め押え金具の平面図である。図１７は、本発明における振れ止め押え金具の正面図である。図１８は、本発明における振れ止め押え金具の右側側面図である。図１９は、本発明における振れ止め押え金具の平面図である。図２４は、本発明における振れ止め押え金具をライトゲージに挟着した状態を示す該略図である。図２５は、図２４のＸ−Ｘ’線断面図である。
【００８２】
振れ止め押え金具７は、ウェブ部１２と、該ウェブ部の左右それぞれから延出して該ウェブ部とともに断面略コの字状を形成する押え片１３と、該ウェブ部と略垂直をなすフランジ部１４とからなり、該フランジ部１４は左右にそれぞれに、少なくとも二股（図１４〜図１６においては二股）に分岐している挟着片（１４Ｌ，１４Ｒ）を有している（図１４〜図１６参照）。この少なくとも二股とは、三股でも良いし、四股，五股でもよい。三股の振れ止め押え金具７を図１７〜図１９に示す。
【００８３】
フランジ部１４の縦方向の外寸は、ライトゲージ３の左右のリップ部（３Ｌ、３Ｒ）の間の距離以下であることが好ましい。これは、振れ止め押え金具７のライトゲージ３への挟着の作業で、振れ止め押え金具７を９０度倒してからライトゲージ３の左右のリップ部間に挿入して、先と逆方向に９０度回転させて挟着させることができるからである。
【００８４】
左側の挟着片（１４Ｌ）は少なくとも二股に分岐しており、少なくとも２つの分岐片（１４Ｌｕ，１４Ｌｓ）を有しており、右側の挟着片（１４Ｒ）は少なくとも二股に分岐しており、少なくとも２つの分岐片（１４Ｒｕ，１４Ｒｓ）を有している。この左右の挟着片（１４Ｌ，１４Ｒ）それぞれで、少なくとも二股に分かれた挟着片（１４Ｌ，１４Ｒ）の少なくとも一つの分岐片（１４Ｌｓ，１４Ｒｕ）が、ライトゲージ３のリップ部（３Ｌ，３Ｒ）の外側面に当接し、他の分岐片（１４Ｌｕ，１４Ｒｓ）がリップ部（３Ｌ，３Ｒ）の内側面に当接して、振れ止め押え金具７が、ライトゲージ３に挟着される。振れ止め押え金具７は、そのウェブ部１２が振れ止め５の上面に当接し、左右の押え片（１３Ｌ，１３Ｒ）がそれぞれ振れ止め５の左右のフランジ部外側面に当接して、振れ止め５を押さえるものであり、振れ止め５をライトゲージ３に嵌合することが可能である（図２４，図２５参照）。
この構成とすることにより、振れ止め５を強固に押さえることができる。なお、振れ止め押え金具７の押え片やウェブ部にスリットや穴が設けられており、ビス、ボルト、ピン、鋲もしくはネジ等が挿入されて、振れ止め押え金具７，７と振れ止め５とが固定されていてもよい。この場合、振れ止め５についても、振れ止め押え金具７のスリットや穴の位置と対応する位置にスリットや穴が設けられていることが好ましい。
【００８５】
なお、左右一対である押え片１３は、ウェブ部１２近傍から先端にかけて内側にすぼんでいることが好ましい。この場合の左右の押え片（１３Ｌ，１３Ｒ）間の距離は、ウェブ部１２近傍で振れ止め５のウェブ部の外寸と等しくもしくはやや大きく、左右の押え片（１３Ｌ，１３Ｒ）の先端で振れ止め５のウェブ部の外寸よりやや小さい。この構成とすることにより、振れ止め５をより強固に押さえることができる。
さらには左右の押え片１３は、ウェブ部１２近傍から先端にかけて内側にすぼんでいて、先端付近で外側に反っていることがより好ましい（図１４，図１７参照）。この場合の前記左右の押え片（１３Ｌ，１３Ｒ）間の距離は、ウェブ部１２近傍で振れ止め５のウェブ部の外寸と等しくもしくはやや大きく、一番すぼんでいるところで、振れ止め５のウェブ部の外寸よりやや小さく、先端で振れ止め５のウェブ部の外寸より大きい。この構成とすることにより、振れ止め５を、容易に、かつ、より強固に押さえることができる。
【００８６】
また、左右一対である押え片１３は、左右の押え片（１３Ｌ，１３Ｒ）のそれぞれの内側面に、振れ止め５に上から押え片１３に嵌めこんだ際に、振れ止め５の左右のフランジ部の下端縁に引っかかることが可能な突起を有していることが好ましい。
以上の通り、振れ止め押え金具７により、ライトゲージ３，３と振れ止め５の接合を容易に施工でき、かつ十分な接合強度を確保できる。
【００８７】
なお、前記少なくとも一つの分岐片（１４Ｌｓ，１４Ｒｕ）におけるライトゲージ３のリップ部（３Ｌ，３Ｒ）の外側面に当接する部分と、前記他の分岐片（１４Ｌｕ，１４Ｒｓ）におけるライトゲージ３のリップ部（３Ｌ，３Ｒ）の内側面に当接する位置との間の、該振れ止め押え金具７のフランジ部面に対して垂直な方向の距離は、ライトゲージ３のリップ部の板厚以下であることが好ましい。
なお、前記少なくとも一つの分岐片（１４Ｌｓ，１４Ｒｕ）の縦方向の外寸は、１０ｍｍ以上３５ｍｍ以下であることが好ましい。より好ましくは、二股の振れ止め押え金具７の場合で、２０ｍｍ以上３０ｍｍ以下であり、三股の振れ止め押え金具７の場合で、１０ｍｍ以上３０ｍｍ以下である。
前記少なくとも一つの分岐片（１４Ｌｓ，１４Ｒｕ）と、ライトゲージ３のリップ部（３Ｌ，３Ｒ）の外側面との重なり部分の横（左右）方向の長さは、８ｍｍ以上２５ｍｍ以下であることが好ましく、より好ましくは１０ｍｍ以上２０ｍｍ以下である。他の分岐片（１４Ｌｕ，１４Ｒｓ）が、ライトゲージ３，３のリップ部（３Ｌ，３Ｒ）の内側面との重なり部分の横（左右）方向の長さは、８ｍｍ以上２５ｍｍ以下であることが好ましく、より好ましくは１０ｍｍ以上２０ｍｍ以下である。
前記左右の押え片（１３Ｌ，１３Ｒ）間の距離は、前記左右の押え片（１３Ｌ，１３Ｒ）がそれぞれ振れ止め５の左右のフランジ部外側面に当接する長さであることが好ましい。
なお、振れ止め押え金具７が三股の場合、前記少なくとも一つの分岐片は、図１７〜図１９において１４Ｌｍ，１４Ｒｕ，１４Ｒｓとなり、前記他の分岐片は、図１７〜図１９において１４Ｌｕ，１４Ｌｓ，１４Ｒｍとなる。
【産業上の利用可能性】
【００８８】
本発明の鋼製下地による耐震間仕切り構造、ライトゲージ取付金具および振れ止め押え金具は、高さ５ｍを超える耐震間仕切りを施工するのに特に有用である。
【符号の説明】
【００８９】
Ａ    ウェブ外寸
Ｂ    フランジ外寸
Ｐ１  ライトゲージと一対のライトゲージとの間隔
Ｐ２  複数の一対のライトゲージの間隔
ｂ    ボードビス
ｃ    リップ外寸
ｆ    フランジ部
ｗ    ウェブ部
ｒ    リップ部
ｔ    板厚
１    天井ランナー
１’  従来の間仕切り構造における天井ランナー
２    床ランナー
２’  従来の間仕切り構造における床ランナー
３    ライトゲージ
３Ｗ  背合わせされた一対のライトゲージ
３Ｗｔ  一対のライトゲージ３Ｗの背合わせ面（当接面）
３Ｌ    ライトゲージ３の左側リップ部
３Ｒ    ライトゲージ３の右側リップ部
３Ｋ    ライトゲージ３の貫通孔
３Ｋｓ  ライトゲージ３の貫通孔の挿入部
３Ｋｍ  ライトゲージ３の貫通孔の左右一対の嵌合溝
３Ｋｔ  ライトゲージ３の貫通孔の一つの嵌合溝
４      スタッド
４Ｋ    スタッド４の貫通孔
４Ｋｓ  スタッド４の貫通孔の挿入部
４Ｋｍ  スタッド４の貫通孔の左右一対の嵌合溝
４Ｋｔ  スタッド４の貫通孔の一つの嵌合溝
４’    従来の間仕切り構造におけるスタッド
５      振れ止め
５’    従来の間仕切り構造における振れ止め
６      ライトゲージ取付金具
７      振れ止め押え金具
８      壁材
９        ライトゲージ取付金具６のウェブ部
９ｋ      ライトゲージ取付金具６のウェブ部９の穴
１０      ライトゲージ取付金具６のフランジ部
１０Ｌ    ライトゲージ取付金具６の左側挟着片
１０Ｒ    ライトゲージ取付金具６の右側挟着片
１０Ｌｕ  ライトゲージ取付金具６の左側挟着片の上側分岐片
１０Ｌｍ  ライトゲージ取付金具６の左側挟着片の中央分岐片
１０Ｌｓ  ライトゲージ取付金具６の左側挟着片の下側分岐片
１０Ｒｕ  ライトゲージ取付金具６の右側挟着片の上側分岐片
１０Ｒｍ  ライトゲージ取付金具６の右側挟着片の中央分岐片
１０Ｒｓ  ライトゲージ取付金具６の右側挟着片の下側分岐片
１１      ピン
１２      振れ止め押え金具７のウェブ部
１３      振れ止め押え金具７の押え片
１３Ｌ    振れ止め押え金具７の左側押え片
１３Ｒ    振れ止め押え金具７の右側押え片
１４      振れ止め押え金具７のフランジ部
１４Ｌ    振れ止め押え金具７の左側挟着片
１４Ｒ    振れ止め押え金具７の右側挟着片
１４Ｌｕ  振れ止め押え金具７の左側挟着片の上側分岐片
１４Ｌｓ  振れ止め押え金具７の左側挟着片の下側分岐片
１４Ｒｕ  振れ止め押え金具７の右側挟着片の上側分岐片
１４Ｒｓ  振れ止め押え金具７の右側挟着片の下側分岐片
１５      従来の間仕切り構造における床
１６      従来の間仕切り構造における天井
１７      従来の間仕切り構造におけるアングル
１８      従来の間仕切り構造における角鋼
【図１】
0005378466.tif 000002
【図２】
0005378466.tif 000003
【図３】
0005378466.tif 000004
【図４】
0005378466.tif 000005
【図５】
0005378466.tif 000006
【図６】
0005378466.tif 000007
【図７】
0005378466.tif 000008
【図８】
0005378466.tif 000009
【図９】
0005378466.tif 000010
【図１０】
0005378466.tif 000011
【図１１】
0005378466.tif 000012
【図１２】
0005378466.tif 000013
【図１３】
0005378466.tif 000014
【図１４】
0005378466.tif 000015
【図１５】
0005378466.tif 000016
【図１６】
0005378466.tif 000017
【図１７】
0005378466.tif 000018
【図１８】
0005378466.tif 000019
【図１９】
0005378466.tif 000020
【図２０】
0005378466.tif 000021
【図２１】
0005378466.tif 000022
【図２２】
0005378466.tif 000023
【図２３】
0005378466.tif 000024
【図２４】
0005378466.tif 000025
【図２５】
0005378466.tif 000026
【図２６】
0005378466.tif 000027
【図２７】
0005378466.tif 000028
【図２８】
0005378466.tif 000029
【図２９】
0005378466.tif 000030
【図３０】
0005378466.tif 000031
【図３１】
0005378466.tif 000032
【図３２】
0005378466.tif 000033